【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
Ｋ個の許可された副帯域（ｎ1、．．．、ｎk）の集合Ω中に共にグループ化されている複数の副搬送波を使用して、ストリームの数Ｎsに関する情報を搬送するように構成された複数搬送波複数入力複数出力（ＭＩＭＯ）通信システムにおけるプリコーディングフィードバック情報の量を低減させる方法において、
副帯域と行列との、関連した組み合わせのそれぞれに対する送信品質を考慮しながら、限定された数Ｐ個のコードブックインデックスと、前記集合Ωの部分集合ω（ｍ1、．．．、ｍk’）中に含めるべき、限定された数Ｋ’個の副帯域とを一緒に選択し、ここで、Ｋ’は、Ｋ’＜Ｋの値に設定され、Ｐは、Ｐ≦Ｋ’の値に設定されることと、
前記送信側に対して、前記Ｐ個のコードブックインデックスと、前記部分集合ωを識別する情報とを伝達することとを含むことにより特徴付けられる方法。
【請求項２】
前記Ｐ個のコードブックインデックスは、ベクトルΠ中に含まれている請求項１記載の方法。
【請求項３】
前記コードブックインデックスと、前記部分集合ωに対して使用すべき対応する副帯域との選択は、送信品質の関数が最大化されるように実行される請求項２記載の方法。
【請求項４】
前記部分集合ω（ｍ1、．．．、ｍk’）と、前記ベクトルΠ中のＰ個のコードブックインデックスは、
【数１】
2009542052.tif 000001
を満たし、ここで、
Πは、前記副帯域の部分集合ω中の、前記副帯域または副帯域のグループに対応するＰ個のプリコーディング行列インデックスを含んでいるベクトルであり、
ｆは、複数のストリームと複数の副帯域との測定値に対する送信の品質を考慮に入れる、スカラの送信品質の関数であり、
Ｋ’は、コードブックインデックスが伝達されることになる副帯域の数を規定する所定の数であり、Ｋ’＜Ｋを満たし、
Ｎsは、ストリームの所定の数である請求項３記載の方法。
【請求項５】
コードブックインデックス、前記部分集合ωに対して使用すべき副帯域、およびストリームの数は、送信品質の関数に関して一緒に選択される請求項２記載の方法。
【請求項６】
コードブックインデックス、前記部分集合ωに対して使用すべき副帯域、およびストリームの数Ｎsは、前記送信品質の関数が最大化されるように一緒に選択される請求項５記載の方法。
【請求項７】
前記部分集合ω（ｍ1、．．．、ｍk’）、前記ベクトルΠ中のＰ個のコードブックインデックス、および前記ストリームの数Ｎsは、
【数２】
2009542052.tif 000002
を満たし、ここで、
Πは、前記副帯域の部分集合ω中の、前記副帯域または副帯域のグループに対応するＰ個のプリコーディング行列インデックスを含んでいるベクトルであり、
ｆは、複数のストリームと複数の副帯域との測定値に対する送信の品質を考慮に入れる、スカラの送信品質の関数であり、
Ｋ’は、コードブックインデックスが伝達されることになる副帯域の数を規定する所定の数であり、Ｋ’＜Ｋを満たし、
Ｎsは、ストリームの数である請求項６記載の方法。
【請求項８】
前記関数ｆは、
【数３】
2009542052.tif 000003
として定義され、ここで、
Πは、前記副帯域の部分集合ω中の、前記副帯域または副帯域のグループに対応するＰ個のプリコーディング行列インデックスを含んでいるベクトルであり、
Ｎsは、ストリームの数であり、
ＥＥＳＭは、有効指数ＳＩＲマッピング関数である請求項４または７記載の方法。
【請求項９】
前記関数ｆは、
【数４】
2009542052.tif 000004
として定義され、ここで、
Πは、前記副帯域の部分集合ω中の、前記副帯域または副帯域のグループに対応するＰ個のプリコーディング行列インデックスを含んでいるベクトルであり、
Ｎsは、ストリームの数であり、
ＥＥＳＭは、有効指数ＳＩＲマッピング関数である請求項４または７記載の方法。
【請求項１０】
前記関数ｆは、
【数５】
2009542052.tif 000005
として定義され、ここで、
Πは、前記副帯域の部分集合ω中の、前記副帯域または副帯域のグループに対応するＰ個のプリコーディング行列インデックスを含んでいるベクトルであり、
Ｎsは、ストリームの数であり、
ＥＥＳＭは、有効指数ＳＩＲマッピング関数であり、
ｇBLER（ｘ）は、規定された所望の値よりも小さいＢＬＥＲを与える、対応する最大の可能性あるコードブロックサイズ（情報ビットの数）に対して、ＥＥＳＭ値をマッピングする関数である請求項４または７記載の方法。
【請求項１１】
前記関数ｆは、
【数６】
2009542052.tif 000006
として定義され、ここで、
Πは、前記副帯域の部分集合ω中の、前記副帯域または副帯域のグループに対応するＰ個のプリコーディング行列インデックスを含んでいるベクトルであり、
Ｎsは、ストリームの数であり、
ＥＥＳＭは、有効指数ＳＩＲマッピング関数である請求項４または７記載の方法。
【請求項１２】
前記送信側は、ＢＴＳ／Ｎｏｄｅ Ｂであり、対応する受信側は、移動局／ＵＥであるか、
または、
前記送信側は、移動局／ＵＥであり、対応する受信側は、ＢＴＳ／Ｎｏｄｅ Ｂである請求項１記載の方法。
【請求項１３】
前記送信側は、ＢＴＳ／Ｎｏｄｅ Ｂであり、かつ、前記受信側は、移動局／ＵＥである場合、コードブックインデックスが伝達されることになる前記副帯域の数Ｋ’は、ＢＴＳ／Ｎｏｄｅ Ｂにより設定されるか、
または、
コードブックインデックスが伝達されることになる前記副帯域の数Ｋ’は、移動局／ＵＥにより設定される請求項１２記載の方法。
【請求項１４】
前記コードブックインデックスの数Ｐは１、Ｐ＝１であるか、
または、
前記コードブックインデックスの数Ｐは、予め定められた値に設定され、好ましくは、システムの規格中で与えられる請求項１記載の方法。
【請求項１５】
補集合
【数７】
2009542052.tif 000007
に対するプリコーディング行列インデックスは、前記部分集合ωに対するＰ個のプリコーディング行列インデックスに加えて前記送信側に伝達され、
ここで、
【数８】
2009542052.tif 000008
であり、Ωは、許可された副帯域の総集合である請求項１記載の方法。
【請求項１６】
補集合
【数９】
2009542052.tif 000009
に対するプリコーディング行列インデックスは、固定されており、
ここで、
【数１０】
2009542052.tif 000010
であり、Ωは、許可された副帯域の総集合である請求項１記載の方法。
【請求項１７】
前記固定されたプリコーディング行列は、恒等行列であるか、
または、
前記固定されたプリコーディング行列は、恒等行列からの選択された列を含んでいる請求項１６記載の方法。
【請求項１８】
前記部分集合を識別する前記情報は、ビットマップ表示中に含まれている請求項１記載の方法。
【請求項１９】
複数搬送波複数入力複数出力（ＭＩＭＯ）通信システムにおけるプリコーディングフィードバック情報の量を低減させ、Ｋ個の許可された副帯域（ｎ1、．．．、ｎk）の集合Ω中に共にグループ化されている複数の副搬送波を使用して、ストリームの数Ｎsに関する情報が搬送される方法において、
送信側において、受信側からフィードバックされたコードブックインデックスに基づいて、使用すべき適切なプリコーディング行列をプリコーディングコードブックから選択することと、
前記集合Ωの部分集合ω（ｍ1、．．．、ｍk’）中の限定された数Ｋ’個の副帯域を識別する情報と、前記部分集合ω中の前記Ｋ’個の副帯域に対して使用すべき、限定された数Ｐ個のコードブックインデックスとを受信し、前記情報および前記Ｐ個のコードブックインデックスは、副帯域と行列との、関連した組み合わせのそれぞれに対する送信品質を考慮しながら、一緒に選択され、前記受信側からフィードバックされることと、
前記Ｐ個のコードブックインデックスを使用して、前記Ｋ’個の副帯域上で送信することを含むことにより特徴付けられる方法。
【請求項２０】
複数搬送波複数入力複数出力（ＭＩＭＯ）通信システムにおけるプリコーディングフィードバック情報の量を低減させるように構成され、前記システムは、Ｋ個の許可された副帯域（ｎ1、．．．、ｎk）の集合Ω中に共にグループ化されている複数の副搬送波を使用して、ストリームの数Ｎsに関する情報を搬送するように構成されている受信ユニットにおいて、
前記受信ユニットは、
副帯域と行列との、関連した組み合わせのそれぞれに対する送信品質を考慮しながら、限定された数Ｐ個のコードブックインデックスと、前記集合Ωの部分集合ω（ｍ1、．．．、ｍk’）中に含めるべき、限定された数Ｋ’個の副帯域とを一緒に選択し、ここで、Ｋ’は、Ｋ’＜Ｋの値に設定され、Ｐは、Ｐ≦Ｋ’の値に設定される手段と、
対応する送信ユニットに対して、前記Ｐ個のコードブックインデックスと、前記部分集合ωを識別する情報とを伝達する手段とを具備することを特徴とする受信ユニット。
【請求項２１】
前記受信ユニットは、移動局／ＵＥであるか、
または、
前記受信ユニットは、ＢＴＳ／Ｎｏｄｅ Ｂである請求項２０記載の受信ユニット。
【請求項２２】
複数搬送波複数入力複数出力（ＭＩＭＯ）通信システムにおけるプリコーディングフィードバック情報の量を低減させるように構成され、Ｋ個の許可された副帯域（ｎ1、．．．、ｎk）の集合Ω中に共にグループ化されている複数の副搬送波を使用して、ストリームの数Ｎsに関する情報が搬送され、前記システムの受信側からフィードバックされたコードブックインデックスに基づいて、使用すべき適切なプリコーディング行列をプリコーディングコードブックから選択するように構成されている送信ユニットにおいて、
前記送信ユニットは、
前記受信側からフィードバックされ、前記集合Ωの部分集合ω（ｍ1、．．．、ｍk’）中の限定された数Ｋ’個の副帯域を識別する情報と、前記部分集合ω中の前記Ｋ’個の副帯域に対して使用すべき、限定された数Ｐ個のコードブックインデックスとを受信し、ここで、Ｋ’は、Ｋ’＜Ｋの値に設定され、Ｐは、Ｐ≦Ｋ’の値に設定され、前記情報および前記Ｐ個のコードブックインデックスは、副帯域と行列との、関連した組み合わせのそれぞれに対する送信品質を考慮しながら、一緒に選択され、前記受信側からフィードバックされる手段と、
前記Ｐ個のコードブックインデックスを使用して、前記Ｋ’個の副帯域上で送信する手段とを備えていることを特徴とする送信ユニット。
【請求項２３】
複数搬送波複数入力複数出力（ＭＩＭＯ）通信システムにおいて、
請求項２２に記載の送信ユニットと通信を行う請求項２０に記載の受信ユニットを具備することを特徴とする通信システム。
【請求項２４】
Ｋ個の許可された副帯域（ｎ1、．．．、ｎk）の集合Ω中に共にグループ化されている複数の副搬送波を使用して、ストリームの数Ｎsに関する情報を搬送するように構成された複数搬送波複数入力複数出力（ＭＩＭＯ）通信システムにおけるプリコーディングフィードバック情報の量を低減させる方法を実行するように構成された少なくとも１つのプロセッサにおいて、
前記方法は、
副帯域と行列との、関連した組み合わせのそれぞれに対する送信品質を考慮しながら、限定された数Ｐ個のコードブックインデックスと、前記集合Ωの部分集合ω（ｍ1、．．．、ｍk’）中に含めるべき、限定された数Ｋ’個の副帯域とを一緒に選択し、ここで、Ｋ’は、Ｋ’＜Ｋの値に設定され、Ｐは、Ｐ≦Ｋ’の値に設定されることと、
前記送信側に対して、前記Ｐ個のコードブックインデックスと、前記部分集合ωを識別する情報とを伝達することとを含むことにより特徴付けられるプロセッサ。
【請求項２５】
複数搬送波複数入力複数出力（ＭＩＭＯ）通信システムにおけるプリコーディングフィードバック情報の量を低減させ、Ｋ個の許可された副帯域（ｎ1、．．．、ｎk）の集合Ω中に共にグループ化されている複数の副搬送波を使用して、ストリームの数Ｎsに関する情報が搬送される方法を実行するように構成された少なくとも１つのプロセッサにおいて、
前記方法は、
送信側において、受信側からフィードバックされたコードブックインデックスに基づいて、使用すべき適切なプリコーディング行列をプリコーディングコードブックから選択することと、
前記集合Ωの部分集合ω（ｍ1、．．．、ｍk’）中の限定された数Ｋ’個の副帯域を識別する情報と、前記部分集合ω中の前記Ｋ’個の副帯域に対して使用すべき、限定された数Ｐ個のコードブックインデックスとを受信し、前記情報および前記Ｐ個のコードブックインデックスは、副帯域と行列との、関連した組み合わせのそれぞれに対する送信品質を考慮しながら、一緒に選択され、前記受信側からフィードバックされることと、
前記Ｐ個のコードブックインデックスを使用して、前記Ｋ’個の副帯域上で送信することを含むことにより特徴付けられるプロセッサ。